(57)【特許請求の範囲】
【請求項１】
スイッチ組立体にして、
ロッカー型スイッチ７２と、
内側がほぼ矩形空洞形状の開口部１５とされ、上面がプラットホーム形状とされ、同プラットホームの一部分が開口していて前記開口部１５の前記内側の矩形空洞が外側につながっているハウジング１２であって、前記開口部の下端に前記ロッカー型スイッチ７２が取り付けられたハウジング１２と、
前記ハウジングの開口部１５内に収容されており且つ枢着ピン５８によって同ハウジングに対して枢動可能に枢支されているアクチュエータ４０であって、内部に一端が開口している空所５０を有し且つ同空所の開口端部と反対側へと前記ロッカー型スイッチに設けられた枢動可能なスイッチ要素に係合する部材６７，６８，６９が伸長していて、当該アクチュエータが枢動することによって前記係合する部材６７，６８，６９が回転して前記ロッカー型スイッチがオン／オフされるようになされたアクチュエータ４０と、
前記アクチュエータの空所５０内に収容され、細長のスロット８６を有し、同細長のスロットに前記枢着ピン５８が貫通していて、前記アクチュエータ及び前記ハウジングに対して、前記細長のスロットに沿って摺動可能に且つ同スロットを中心に枢動可能に支持されたレバー８０であって、更に、オペレータが操作可能なように、前記アクチュエータの空所の開口端部を通り且つ前記ハウジングのプラットホームの開口した部分を通って前記ハウジングの外方へ延びているアーム９０を有し、レバー８０は、前記アームの下方と前記アクチュエータ４０との間に配設されたばね９４によって付勢されており、前記アームが同ばねによる付勢力に抗して押し込まれると、前記細長スロットに沿って引っ込み位置へと摺動し、同引っ込み位置にある状態においては、前記アームによって当該レバーを回転させることによって、同レバーの端面が前記アクチュエータに当接して同アクチュエータが当該レバーと共に前記ハウジングに対して回転せしめられて前記ロッカー型スイッチのオン／オフ動作が可能になり、一方、前記アームの押し込みが解除されると、前記ばねの付勢力により前記細長スロットに沿って上昇位置へと摺動して戻り、同上昇位置にある状態においては、前記アームによって当該レバーを回転させようとしても、当該レバーの端面が前記ハウジングのプラットホームの開口した部分の端縁に当接し、当該レバーの回転が制限されて前記ロッカースイッチのオン／オフ動作が阻止されるようになされ、
前記アクチュエータ４０が、前記空所５０を形成している一対の側壁４４，４６と、円筒状のハブ４８とを有し、前記円筒状のハブは、各端面が、各々、前記側壁４４，４６と対向していて、対向する側壁との間に隙間を形成するような形態で前記アクチュエータ４０の側壁４４，４６から延びており、
前記レバー８０から伸長している一対の離間した側壁８１，８２が、各々、前記アクチュエータにおける前記円筒状ハブ４８と前記側壁４４，４６との隙間に嵌挿されて取り付けられ、前記枢着ピン５８が、前記円筒状のハブ４８、前記レバー８０の前記長穴８６及び前記アクチュエータ４０の前記側壁４４，４６を貫通して伸長している、スイッチ組立体。
【請求項２】
請求項１に記載のスイッチ組立体にして、
前記枢着ピン５８が前記ハウジング１２の穴２０に受け入れられ、
前記アクチュエータ４０が、前記枢着ピン５８を回転可能に受け入れる穴５６を有し、
前記スロット８６が、前記枢着ピン５８の軸線に対して平行に前記レバーを貫通して伸長しており、前記枢着ピンの軸線に対して垂直な面に沿った長孔であり、前記枢着ピン５８が該スロットに摺動可能に且つ回転可能に受け入れられている、ことを特徴とするスイッチ組立体。
【請求項３】
請求項２に記載のスイッチ組立体にして、
前記アーム９０が、前記スロット８６の長手軸線に対してずらせて配置された中心軸線を有し、前記レバー８０をその引っ込み位置へ動かすために該レバーに力を加えると、該レバーが前記スイッチ７２をオンさせる反時計方向と反対の時計方向に回転せしめられることを特徴とするスイッチ組立体。
【請求項４】
請求項１に記載のスイッチ組立体にして、
前記アーム９０が、前記アクチュエータ４０の回転軸線に対してずらせて配置された中心軸線を有し、前記レバー８０をその引っ込み位置へ動かすために該レバーに力を加えると、前記レバー８０と共に前記アクチュエータ４０が前記スイッチ７２をオンさせる反時計方向と反対の時計方向に回転せしめられることを特徴とするスイッチ組立体。
【請求項５】
請求項１に記載のスイッチ組立体にして、
前記ハウジング１２のプラットホームの開口部から内縁部２６が突出しており、同内縁部が前記レバー８０に係合して、同レバーが、前記スイッチ７２をオンさせる反時計方向に枢動するのを阻止することを特徴とするスイッチ組立体。
【請求項６】
請求項２に記載のスイッチ組立体にして、
前記レバー８０の一つの面に切欠き８８が形成されており、該切欠き８８は、前記枢着ピンに対して平行に伸長しており、該切欠きの底面が、前記レバーが回転されたときに同レバーが前記ハウジングに当接する面を形成することを特徴とするスイッチ組立体。
【請求項７】
請求項１に記載のスイッチ組立体にして、
前記プラットホームが、該プラットホームの前記開口した部分を挟んで両側に設けられた第一のプラットホーム２２と第二のプラットホーム３０とから構成され、前記第一のプラットホーム２２における前記プラットホームの開口した部分に面する端縁が前記レバーの端面に当接して前記レバーの反時計方向の回転を阻止し、前記第二のプラットホーム３０における前記プラットホームの開口した部分に面する端縁が前記レバーの端面に当接して前記レバーの時計方向の回転を阻止するようになされた、ことを特徴とするスイッチ組立体。
【請求項８】
請求項１に記載のスイッチ組立体にして、
前記ハウジングが、同ハウジングの上端の両側部から突出している互いに離間した一対の側壁１６，１８を備え、前記アーム９０が、該側壁の間のスペース内を可動であることを特徴とするスイッチ組立体。
【請求項９】
請求項１に記載のスイッチ組立体にして、
前記アクチュエータ４０が、前記空所５０を形成している一対の側壁４４，４６を備えており、該一対の側壁４４，４６には、前記枢着ピン１５８が貫通する穴が設けられていることを特徴とするスイッチ組立体。
【発明の詳細な説明】
【０００１】
【産業上の利用分野】
本発明は、手操作可能なスイッチ組立体に関する。
【従来の技術】
乗物に使用される電気作動装置の制御にスイッチを使用することは周知である。例えば、市販のロッカスイッチ及びトグルスイッチは、乗物に一般に使用されている。
【０００２】
【発明が解決しようとする課題】
かかる標準型のスイッチは、一方向に力を加えるだけで作動させることが出来る。しかし、かかる簡単な作動方法は、より複雑な作動方法と比べて、誤って作動させる危険性が大きくなる。このため、誤って作動させる可能性を少なくすべく、二重動作による作動を必要とするスイッチ組立体の構造が採用されている。例えば、三点ヒッチ制御機構（ｔｈｒｅｅ  ｐｏｉｎｔ  ｈｉｔｃｈ  ｃｏｎｔｒｏｌ）を備えるある種の農業用トラクタには、その左側フェンダの後部に、「バット・ハンドル（バット状のハンドル）」が設けられたものがある。かかるスイッチの場合、そのバットを引き出してから、バットをＯＮ位置に向けて作動させなければならない。また、上に持ち上げてから回転させなければならないノブが設けられたスイッチも公知である。しかし、かかる多くの二重動作スイッチは、かなり直覚的でない操作を必要とし、このため、その利便性が劣る。従って、容易に且つ直覚的な方法で操作可能である二重動作スイッチを提供することが望まれる。また、標準型の電気スイッチの構成部品と相互に接続可能である二重動作スイッチを提供することも望まれている。
【０００３】
本発明の一つの目的は、誤ってスイッチを作動させる危険性を少なくする構造のスイッチ組立体を提供することである。
本発明の別の目的は、簡単で且つ直覚的な方法で作動させ得るスイッチ組立体を提供することである。
本発明の別の目的は、標準的な電気スイッチの構成要素と相互に接続可能であるスイッチ組立体を提供することである。
【０００４】
【課題を解決するための手段】
本発明の上記及びその他の目的は、開口部を有する基部と、該開口部の両側部に設けられた一対の側板とを有するハウジングを備える、本発明のスイッチ組立体により達成される。アクチュエータがこの開口部内に回転可能に取り付けられており、また、該アクチュエータは、空所を形成する本体を備えている。この空所は、その一端が開放しており、その底面は、一部、円筒状の形状をしている。標準的なロッカ型の電気スイッチの構成要素に係合するためのアームが本体から突出している。レバーは、上記空所に少なくとも一部分、受け入れられた本体と、該レバーの本体から突出するアームと、当接面とを備えている。このレバーは、枢着ピンに対して平行に貫通するスロットを有している。このスロットは、枢着ピンが摺動可能に且つ回転可能にスロットに受け入れられるように、該枢着ピンの軸線に対して垂直な面に沿って細長くしてある。レバーは、そのレバーが空所の底面から離間した上昇位置からレバーが空所の底面に係合する引っ込み位置まで枢着ピンに関して摺動可能である。２つのばねが偏倚されて、レバーをその上昇位置に付勢させている。ストッパ部材がハウジングから突出し、レバーの当接面に係合して、レバーがその上昇位置にあるとき、レバーが第一の方向に枢動するのを防止する。このレバー当接面は、レバーがその引っ込み位置から第一の方向に回転されるとき、ストッパ部材と係合しないような位置に配置されている。
【０００５】
【実施例】
図１を参照すると、スイッチ組立体１０は、略矩形の形状の開口部１５を囲繞する基部１４を有するハウジング、又は枠１２を備えている。一対の側壁１６、１８が該基部１４の両側部から突出している。穴２０は、基部１４の両側部を貫通して伸長している。プラットフォーム２２が、基部１４の一端の上側部を横断して一方の側壁１６からその反対の側壁１８まで伸長している（図３参照）。プラットフォーム２２は、略平坦な主要中央部分２４と、上方に傾斜した内縁部２６とを備えている。基部１４の他端にて、プラットフォーム３０が、基部１４の他端の上側部を横断して、一方の側壁１６からその反対の側壁１８まで伸長している（図３参照）。プラットフォーム３０は、斜角を付した外縁部を有する略平坦な外側半体３２と、上方に傾斜した内側半体３４とを備えている。該内側半体部分３４は、穴２０の軸線を中心とした僅かに湾曲した部分を備えている。
【０００６】
アクチュエータ４０が基部１４の開口部内で且つ側壁１６、１８の間で枠１２内に枢動可能に取り付けられている。アクチュエータ４０は、本体４２により相互に接続された一対の離間した側壁４４、４６を備えている。一対の湾曲リッジ４７、４９がそれぞれ、側壁４４、４６の下方縁部の内側に形成されている。また、アクチュエータ４０は、円筒形ハブ４８を備えている。図４に最も良く図示するように、ハブ４８の両端は、側壁４４、４６から離間されている。該ハブは、本体４２から突出する一対の中空で円筒状の部材６７、６８によって、突出部４７、４９に、及び側壁４４、４６に堅固に接続されている。これらのハブ４８、側壁４４、４６、及び突出部４７、４９は、湾曲した底面５２、５３を有する空所５０、５１を形成する。穴５６は、側壁４４、４６、ハブ４８、空所５０、５１を貫通して伸長している。ピン５８は、穴５６、２０を通って伸長し、これにより、アクチュエータ４０を枠１２内の所定位置に枢動可能に保持する。一対の平行な盲ばね穴６０、６２が本体４２によって形成された傾斜内面６４の途中まで下方に伸長している。これらの穴６０、６２は、側壁４４、４６の間、穴５６とハブ４８の面６４の上縁部との間に配置されている。張り出し部６６がハブ４８の湾曲した端部壁の下端から突出している。該張り出し部６６は、プラットフォーム３０の下側部に係合して、図３においてアクチュエータ４０が反時計方向に枢動するのを制限する。
【０００７】
中空で円筒状の部材６７、６８は、全体として下方に且つ僅かに左方向に伸長している（図３参照）。これらの部材６７、６８は、アクチュエータ４０の側壁４４、４６の間に並べて配置されており、ハブ４８から、アクチュエータ４０の湾曲した本体４２を超える位置まで伸長している。部材６７、６８は、イートン／カットラーハーマー（Ｅａｔｏｎ／Ｃｕｔｌｅｒ−Ｈａｍｍｅｒ）から市販されているようなロッカスイッチ７２の部品に作用可能に係合するばね偏倚式ピン６９を受け入れる。そのハウジングの上方部分（図示せず）及び手操作されるロッカ要素（図示せず）を含むロッカスイッチ７２の上方部分は、取り外し、ばね偏倚されたピン６９が、ロッカスイッチ７２の内部に設けた枢動可能な金属製のスイッチ要素７０に係合可能であるようにすることが望ましい。
【０００８】
レバー８０が枠１２内に取り付けられており、また、該レバー８０は、アクチュエータ４０に結合されている。該レバー８０は、頂部壁８３によって互いに接続された、一対の離間した側壁８１、８２を備えている。レバー８０をアクチュエータ４０に組み付けると、これらの側壁８１、８２は、ハブ４８の両端とアクチュエータ４０の該当する側壁４４、４６との間のスペース内に配置される。側壁８１、８２の下方縁部は、アクチュエータ４０の湾曲した本体の内面の湾曲部分に適合し得るように円滑に湾曲している。スロット８６は、側壁８１、８２を貫通している。スロット８６は、垂直方向に伸長する平坦な側壁によって接続された円筒状の上面及び底面を有する細長の断面形状をしている。スロット８６は、ピン５８を受け入れ、レバー８０は、ピン５８を中心に枢動し、レバー８０がピン５８に関して、スロット８６の方向と平行な方向に摺動することが出来る。頂部壁８３は、張り出し部８７と、枠１２の内縁部２６に向けて開放している切欠き８８とを形成する。
【０００９】
レバー８０は、人間が操作可能であるアーム９０を備えている。該アーム９０は、頂部壁８３から側壁１６、１８の間を通って湾曲した上面９２まで伸長する。該上面９２は、ハウジングの側壁１６、１８の上方縁部と正確に整合されている。下方に開放した一対のばね用の盲穴９３が、アーム９０内を上方に伸長している。一対のコイルばね９４が穴９３内に取り付けられ且つ偏倚されて、図３に示すように、レバー８０を上方に、及び空所５０の底面５２から離れる方向に付勢させる。
【００１０】
図３に最も良く図示するように、アーム９０の中心縦軸線Ａは、スロット８６の長穴軸線に対して略平行で且つ該軸線から離間されると共に、該縦軸線Ａは、ピン５８と、プラットフォーム３０の内側半体３４との間に配置されている。その結果、アーム９０に作用する下向きの力によってレバー８０に加えられたトルクは、レバー８０を時計方向に回転させてプラットフォーム３０の内側半体３４に係合させる。この時計方向の回転は、スイッチ７２をトグル動作させるのに必要な反時計方向の回転と反対である。この動作は、単なる下向きの力、又は動作によって、スイッチ７２がトグル動作してオンにされるのを防止する。
【００１１】
図３に示した位置からレバー８０を反時計方向に回転させると、枠１２の内縁部２６が切欠き８８の底面に係合し、レバーが更に反時計方向に回転するのが阻止される。レバー８０は完全に反時計方向に回転可能となる前に、最初に、図３に示すように、下方に押して、ばね９４を圧縮し、長穴８６とピン５８との間の自由な遊びを利用しなければならない。これにより、張り出し部８７は、内縁部２６の下面の下方に押し込まれ、レバーの側壁８１、８２が動いて、アクチュエータ４０の本体４２に接近し、又は該本体４２に係合する。その後、アクチュエータ４０は、レバー８０と共に回転し、レバー８０は、アクチュエータ４０と共に、反時計方向に回転して、スイッチ７２にトグル動作をさせることが出来る。アクチュエータの張り出し部６６がプラットフォーム３０の下側に係合する迄、レバー８０及びアクチュエータ４０を反時計方向に回転させることが出来る。
【００１２】
このようにして、スイッチ７２をトグル動作させてオンにするためには、最初に、レバー８０を下方に動かしてから、該レバーを完全に反時計方向に回転させなければならない。従って、操作者によってかかる動作が誤って実行される可能性はないと考えられる。ロッカースイッチ７２は、図３に示したものと同様に、レバー８０を最初に下方に動かしても、スイッチ７２がトグル動作してオンにされず、レバー８０及びアクチュエータ４０を回転させない限りスイッチ７２がトグル動作してオンとされないように、スイッチ組立体１０に関して方向決めすることが望ましい。
【００１３】
【発明の効果】
スイッチ７２をそのオン位置からオフ位置へトグル動作させるためには、レバー８０に一回の手操作を加えるだけでよい。特に、スイッチ７２は、レバー８０を図３において単に時計方向に回転させるだけでトグル動作させてオフにすることが出来る。また、これと同じ動作によって、レバーをその最初の位置に戻し、スイッチ７２を誤ってオンすることを防止することが出来る。このようにして、スイッチ７２をトグル動作させてオンにするためには、手操作による二重の動作が必要であり、また、トグルスイッチ７２をオフにするためには、一回の手操作を行えば十分である。
以上、本発明を、特定の実施例に関して説明したが、上記の説明に鑑みて、当業者には多数の応用例、変形例及び変更が明らかであろう。従って、本発明は、特許請求の範囲の精神及び範囲に属するかかる全ての変形例、応用例及び変更を包含することを意図するものである。
【００１４】
【図面の簡単な説明】
【図１】  本発明による制御スイッチ組立体の斜視図である。
【図２】  本発明による制御スイッチ組立体の分解斜視図である。
【図３】  図１の線３−３に沿った本発明の断面側面図である。
【図４】  図３の線４−４に沿った断面図である。
【００１５】
【符号の説明】
１０  スイッチ組立体                  １２  枠
１４  基部                            １５  開口部
１６、１８  枠の側壁                  ２０  穴
２２、３０  プラットフォーム          ４０  アクチュエータ
４２  アクチュエータの本体
４４、４６  アクチュエータの側壁
４７、４９  湾曲突出部                ４８  円筒状ハブ
５０  空所                            ５２  底面
５６  穴                              ５８  ピン
６６  アクチュエータの張り出し部
６７、６８  円筒状部材                ６９  ピン
８０  レバー                          ８１、８２  レバーの側壁
８３  レバーの頂部壁                  ８６  スロット
８８  切欠き                          ９０  アーム
９４  コイルばね
【図１】
0003808109.tif 000002
【図２】
0003808109.tif 000003
【図３】
0003808109.tif 000004
【図４】
0003808109.tif 000005